(57)【特許請求の範囲】
【請求項１】
前面外扉付きキャビネットの庫内にベンド機構を装備した商品収納ラックを搭載し、販売指令に基づくベンド機構の動作で商品を１個ずつ商品取出口に搬出する飲料，食品販売用の自動販売機であり、通常の販売時には商用電源からの通電制御によりベンド機構を動作させるようにしたものにおいて、商用電源が停止した非常時に手動操作でベンド機構を動作させて商品を取り出す手動式商品払出し手段を装備し、商用電源が停止した非常時には外扉を開けることなく前記手動式商品払出し手段によりベンド機構を動作させて商品を無料で払い出すことを特徴とする自動販売機。
【請求項２】
請求項１記載の自動販売機において、前記手動式商品払出し手段を機内に装備したことを特徴とする自動販売機。
【請求項３】
請求項３記載の自動販売機において、前記手動式商品払出し手段は機外から操作できないように機内に配置されるとともに、商用電源が停止した非常時に手動操作が可能な状態に露出させるようにしたことを特徴とする自動販売機。
【請求項４】
請求項１ないし請求項３のいずれかに記載の自動販売機において、前記手動式商品払出し手段として、商品収納ラックの各コラムごとに装備したベンド機構にワイヤもしくはリンクの一端を連結し、かつ該ワイヤもしくはリンクの他端を手動操作用の操作端としたことを特徴とする自動販売機。
【請求項５】
請求項４記載の自動販売機において、前記ワイヤもしくはリンクの操作端を外扉の前方に引出し配置したことを特徴とする自動販売機。
【請求項６】
請求項５記載の自動販売機において、前記操作端を覆って外扉の前面にロック装置付き小扉を設けたことを特徴とする自動販売機。
【請求項７】
請求項６記載の自動販売機において、前記小扉のロック装置が、常時は商用電源からの給電を受けて小扉を閉位置に鎖錠し、非常時にロックを解除する電磁式ロック装置であることを特徴とする自動販売機。
【請求項８】
請求項６または請求項７記載の自動販売機において、前記ロック装置のロック解除後に手動で小扉を開く手動式ロック装置を併設したことを特徴とする自動販売機。
【発明の詳細な説明】
【０００１】
【発明の属する技術分野】
本発明は、震災などの大規模災害が発生してその地域のライフラインが停止した場合に、飲料，食品供給源として対応できるようにした災害対策用の自動販売機に関する。
【０００２】
【従来の技術】
自動販売機には、缶，壜入りの各種飲料，あるいはスナック食品などの自動販売機がある。また、自動販売機の普及化に伴い、現在では市街地を含めた全国規模で飲料販売用の自動販売機が隈なく展開して街頭，建物内のロケーション先に設置されている。
【０００３】
この自動販売機は、周知のように商品収納ラックに装備したベンド機構，貨幣処理機構，販売制御部，および庫内の冷却／加熱ユニット，庫内照明灯などを含めて全て商用電源からの電力を使って運転，制御を行うようにしている。
【０００４】
また、商用電源が停電した場合でも自動販売機での販売動作が継続して行えるようにするために、機内に非常用電源として蓄電池を搭載しておき、商用電源の停電時に電源を商用電源から蓄電池に切換えて販売動作が引き続き行えるようにした自動販売機が既に提案されており、実開平１−６８５７６号，特開平１０−１１６３７９号公報などで公知である。
【０００５】
【発明が解決しようとする課題】
震災などの大規模な災害が発生してその地域のライフライン（電気，水道，ガスなど）が停止した非常時には、災害地域の住民に対する水などの飲料，食料の早急な提供が重要な課題となる。
【０００６】
かかる点、市中に展開している自動販売機は機内の商品収納ラックに商品として飲料，食品を貯蔵していることから、先記のように商用電源の停電対策として機内に蓄電池を搭載しておけば、災害発生でライフラインが停止した場合でも販売機能が維持でき、これにより自動販売機が災害発生時に飲料，食品供給拠点の役割を果たすことが可能となる。
【０００７】
しかしながら、前記のように停電対策として機内に蓄電池を搭載して商品販売を継続的に行えるようにした自動販売機は、大規模な災害発生した状況の下では次記のような問題点が残る。
すなわち、震災などの大規模な災害が発生してライフラインも停止した非常事態の状況下では、お金を持たずに避難した被災者も多く、このような人達は飲料，食品が欲しくても自動販売機で商品を購入することができないし、また地方自治体などによる飲料，食品の非常配給も滞って十分に機能しないことが多い。
【０００８】
そこで、本発明は大規模な災害が発生してライフラインも停止した非常事態では、機内の商品収納ラックに貯蔵している飲料，食品を代金を必要とせずに災害地域の被災者に無料で提供できるような災害対策機能を備えた自動販売機を提供することにある。
【０００９】
【課題を解決するための手段】
上記目的を達成するために、本発明によれば、前面外扉付きキャビネットの庫内にベンド機構を装備した商品収納ラックを搭載し、販売指令に基づくベンド機構の動作で商品を１個ずつ商品取出口に搬出する飲料，食品販売用の自動販売機であり、通常の販売時には商用電源からの通電制御によりベンド機構を動作させるようにしたものにおいて、商用電源が停止した非常時に手動操作でベンド機構を動作させて商品を取り出す手動式商品払出し手段を装備し、商用電源が停止した非常時には外扉を開けることなく前記手動式商品払出し手段によりベンド機構を動作させて商品を無料で払い出すものとし、具体的には、次記のような態様で構成する。
【００１０】
（１）前記手動式商品払出し手段を機内に装備する。
（２）前項（１）において、前記手動式商品払出し手段は、常時は機外から操作できないように機内に配置されるとともに、商用電源が停止した非常時に手動操作が可能な状態に露出させるようにする。
（３）前記手動商品払出し手段として、商品収納ラックの各コラムごとに装備したベンド機構にワイヤもしくはリンクの一端を連結し、かつ該ワイヤもしくはリンクの他端を手動操作用の操作端とする。
（４）前項（３）において、前記ワイヤもしくはリンクの操作端を外扉の前方に引出し配置する。
【００１１】
（５）前項（４）において、前記操作端を覆って外扉の前面にロック装置付き小扉を設ける。
（６）前項（５）において、前記小扉のロック装置が、常時は商用電源からの給電を受けて小扉を閉位置に鎖錠し、非常時にロックを解除する電磁式ロック装置とする。
（７）前項（５）または（６）において、前記ロック装置のロック解除後に手動で扉を開く手動式ロック装置を併設する。
【００１２】
上記の構成の自動販売機によれば、常時は機外から手動式商品払出し手段が操作できないように小扉を閉位置にロックしてお金の投入による通常の商品販売を行っているが、大規模災害などの発生に伴い地域のライフラインが停止して商用電源も停電した場合には、前記小扉のロックを自動解除して自動販売機の庫内に残っている在庫商品を機外からの手動操作により搬出し、非常放出用の飲料，食品として災害地域の人達に提供することができる。
【００１３】
なお、このような災害対策機能を備えた自動販売機を地域内の全てに設置することは直ちには困難ではあるが、少なくとも大規模災害時の避難場所となる公共施設などに設置する自動販売機に適用すれば大いに役立つ。また、災害発生に伴う停電以前に販売した商品の数量などのデータを機内の制御部に備えた不揮発性メモリーに記憶しておけば、非常時に無料提供した商品の数量を後から確認できる。
【００１４】
【発明の実施の形態】
以下、本発明の実施の形態を図示実施例に基づいて説明する。
まず、庫内にサーペンタイン式商品収納ラックを搭載した飲料販売用の自動販売機を実施対象に、先記した手動式商品搬出手段を備えた災害対策用自動販売機の外観を図１(a),(b) に示す。図において、１は自動販売機のキャビネット、２はキャビネット１の前面に配した外扉、３は断熱内扉、４はキャビネットの庫内に搭載したサーペンタイン式商品収納ラックであり、周知のように前面外扉２には商品見本を陳列したディスプレイ室５，商品選択ボタン６，コインメックなどを装備した操作パネル７，商品取出口８の他に、扉面の一角に後記の自動ロック装置を備えた小扉９を設け、その内側には機外側からの手動操作で商品収納ラック４のベンド機構を釈放して商品を商品取出口８に払出す手動式商品払出し機構の操作部１０を備えている。なお、９ａは小扉９の把手である。
【００１５】
次に、前記サーペンタイン式商品収納ラック４に装備したベンド機構の構造，および通常販売時における商品搬出動作を図２(a),(b) に示す。すなわち、ベンド機構１１は互いにリンク結合された上部フラッパ１１ａ，および下部フラッパ１１ｂと、駆動用の電磁ソレノイド１１ｃと、復帰ばね１１ｄの組立体からなり、販売待機状態（ソレノイドＯＦＦ）では図２(a) のように復帰ばね１１ｄのばね力により下部フラッパ１１ｂが商品通路に突き出して最下位に並ぶ商品（缶商品）１２を販売待機位置に保持している。なお、１３は商品通路幅規制板である。ここで、販売指令に基づいてソレノイド１１ｃをＯＮ動作（励磁）すると、図２(b) のように上部フラッパ１１ａが通路内に突き出して最下位から２番目の商品を保持するとともに、下部フラッパ１１ｂが商品通路から側方に後退する。これにより最下位に並ぶ商品が払出されて下方に落下し、図示されてない商品搬出シュータを経て商品取出口８（図１参照）に搬出される。なお、かかるフラップ式ベンド機構は、実開昭５６−１６８８７９号公報などに開示されている。
【００１６】
かかる構成のベンド機構１１に対して、本発明の実施例では図３で示すように、フラッパ１１ａ，１１ｂと駆動ソレノイド１１ｂとの間を連結するリンク部に取付金１１ｅを介して手動式商品払出し機構の釈放用ワイヤ（可撓性のある牽引用のワイヤ）１０ａの一端が連結されており、このワイヤ１０ａは機内を引き回した上でその操作端（操作把手）１０ｂが前面外扉２に設けた先記の手動式商品払出し機構の操作部１０（図１(b) 参照）に引出されている。
【００１７】
上記の構成で、通常販売の状態ではワイヤ１０ａが弛緩状態にあり、ベンド機構１１はワイヤ１０ａの干渉を受けずに販売指令に基づくソレノイド１１ａの駆動で釈放動作して商品１２を払出す。一方、図３(b) に示す待機状態からワイヤ１０ａを手動操作で上方に引っ張ると、図３(c) のようにワイヤ１０ａの牽引に従動して上部フラッパ１１ａが商品通路に突き出し，下部フラッパ１１ｂが後退して最下位に並ぶ商品１２が下方に落下搬出する。また、ワイヤ１０ａを緩めると再び図３(b) の待機状態に戻る。つまり、ベンド機構１１のソレノイド１１ｃを使わずに手動式商品払出し機構のワイヤ１０ａを手動で引っ張ることにより、ベンド機構１１が釈放動作して商品１２を１本ずつ商品取出口８（図１参照）に搬出することができる。
【００１８】
なお、前記の釈放操作用ワイヤ１０ａは商品収納ラック４の各コラムと個々に対応してそのベンド機構１１に１本ずつ連結してその操作端が一括して前面外扉に引き出されている。
【００１９】
次に、前記釈放用ワイヤ１０ａの操作端を集中配備した手動式商品払出し機構の操作部１０の構造を図４(a) 〜(c) ，および図５(a) 〜(d) で説明する。すなわち、操作部１０は外扉２の一角に設けてあり、その凹状ボックス１０ｃの背壁を貫通して釈放用ワイヤ１０ａの操作端を引出し、各ワイヤごとにその先端に操作用の把手１０ｄを取付けておく。なお、ワイヤ操作端の配列は、例えば図１(a) に示したディスプレイ室５に配した商品見本の配列に合わせておく。
【００２０】
また、この操作部１０の前面を覆うように図１で述べた片開き式の小扉９が備えてあり、常時はこの小扉９が次記の自動ロック装置１４で閉位置にロックされている。すなわち、自動ロック装置１４は、小扉９の裏面に取付けた鉤形のラッチ１４ａと、該ラッチ１４ａに掛かり合うロックピン１４ｂと、ロックピン１４ｂを固定したスライダ１４ｃと、商用電源１５を電源としてその通電により前記スライダ１４ｃを上方に吸引してロックピン１４ｂをロック位置に駆動するソレノイド１４ｄとの組立体から構成されている。なお、１４ｅはスライダ１４ｃのガイド溝１４ｃ−１に嵌合してスライダ１４ｃの動きを規制する段付きねじである。
【００２１】
かかる構成で、自動販売機の通常運転時には、レノイド１４ｄが商用電源１５で励磁（ＯＮ）され、図４で示すようにスライダ１４ｃとともにロックピン１４ｂをラッチ１４ａに引っ掛けて小扉９を閉位置に鎖錠している。したがって、この状態では外部から小扉９を開いて手動式商品払出し機構のワイヤ１０ａを操作することができない。
【００２２】
一方、大規模な災害発生に伴いその地域のライフライン（電気，水道，ガス）が停止して商用電源も停電状態になると、ソレノイド１４ｄがＯＦＦとなり、図５で示すようにスライダ１４ｃが自重で下降するとともに、ロックピン１４ｂとラッチ１４ａとの係合が解けて小扉９のロックが解除される。この状態になれば、小扉９の把手９ａに手を掛けて扉を開き、その内方に配列している手動式商品払出し機構のワイヤ把手１０ｄを掴んで釈放用ワイヤ１０ａを手前に引くことにより、そのワイヤに対応する商品収納ラックのベンド機構１１を釈放操作して図３で述べたように商品を自由に取り出すことができる。
【００２３】
なおこの小扉９には当該自動販売機が「災害対策用の自動販売機」である旨，および災害発生時に「商品取出しの操作手順」の表示をしておくものとする。また、ワイヤ１０ａを引いて商品を取り出すごとに商品の搬出数量をカウントして積算する機械式のカウント装置を設けることもできる。
【００２４】
また、図示実施例では前記した自動ロック装置１４とは別に、自動ロック装置１４の釈放後に小扉９を手動で開くように閉位置に拘束保持する手動ロック装置としてマグネット式キャッチ１６を備え、極短時間の停電（瞬断）時に小扉９が勝手に開放しないようにし、電源回復後は再び小扉９にロックが掛かるようにしている。
【００２５】
また、図示実施例では、ワイヤ１０ａを使ってベンド機構１１を手動で釈放操作するようにしているが、本発明はこれに限定されるものではなく、ワイヤ１０ａの操作端に梃子式の操作レバーを取り付けたり、あるいはワイヤ１０ａ代わりにリンク機構を使って機外からのハンドル操作などでベンド機構１１を釈放することも可能である。また、本発明の実施対象となる自動販売機の商品収納ラック，ベンド機構も図示例のサーペンタイン式商品収納ラックのフラッパ式ベンド機構に限るものではなく、他のプッシャ式，直積み式商品収納ラックにも実施適用できることは勿論である。
【００２６】
【発明の効果】
以上述べたように、本発明の自動販売機によれば、常時はお金の投入による通常の商品販売を行い、大規模災害などの発生でライフラインも停止した非常事態の場合には、自動販売機の庫内に残っている在庫商品を手動操作により搬出し、非常放出用の飲料，食品として災害地域の被災者に無料で提供することができ、これにより自動販売機を大規模災害発生時の飲料，食品提供の拠点として活用できる。
【図面の簡単な説明】
【図１】本発明の実施例による自動販売機全体の外観を表す図であり、(a) は正面図、(b) は扉開放状態の内部構造図
【図２】図１の自動販売機に搭載したサーペンタイン式商品収納ラックのベンド機構の構造，動作説明図であり、(a) は販売待機状態，(b) は販売動作状態を表す図
【図３】図２のベンド機構に適用した本発明による手動式商品払出し機構の構成，動作の説明図であり、(a) はベンド機構の裏面図、(b),(c) はそれぞれ手動操作による商品払出し動作を説明するベンド機構の待機状態，釈放状態を表す図
【図４】図１における手動式商品払出し機構の操作部，および小扉自動ロック装置の構造，並びに通常時の動作状態を表す図であり、(a) は正面図、(b) は(a) 図の右側面図、(c) は(a) 図の矢視Ａ−Ａ断面図
【図５】災害発生に伴う商用電源停止時における図４の小扉自動ロック装置のロック解除動作，および手動式商品払出し機構の操作の説明図であり、(a) は正面図、(b) は(a) 図の右側面図、(c) は(a) 図の矢視Ｂ−Ｂ断面図、(d) は手動式商品払出し機構のワイヤを引出し操作している状態図
【符号の説明】
１    自動販売機のキャビネット
２    外扉
４    商品収納ラック
８    商品取出口
９    小扉
１０    手動式商品払出し機構の操作部
１０ａ  釈放操作用ワイヤ
１０ｂ  ワイヤの操作端
１０ｄ  操作用把手
１１    ベンド機構
１２    商品
１４    自動ロック装置
１５    マグネット式キャッチ（手動ロック装置）
【図１】
0003924954.tif 000002
【図２】
0003924954.tif 000003
【図３】
0003924954.tif 000004
【図４】
0003924954.tif 000005
【図５】
0003924954.tif 000006